(57)【要約】【課題】本発明は、生きた状態で捕獲したネズミをスムーズに処理することのできるネズミ捕り具を得るにある。【解決手段】ネズミは餌につられて箱形本体２内に入り持ち上げ傾斜板４に乗ると、その重さにより下がり連動金具５によって頂部で受け止めていた落とし扉３が外れ、落下して入り口が閉じることで脱出口部２ｂから強制的に粘着シート７内に取り込みその粘着力で捕獲するものとしたネズミ捕り具を構成している。【選択図】図６
2015216924.tif 000002
【特許請求の範囲】
【請求項１】
正面壁と後方壁と左右側壁と正面底板部（２ｃ）から構成される箱形本体（２）と、該箱形本体（２）の正面壁に設ける入り口開口部（２ａ）と、後方壁に設ける出口開口部（２ｂ）と、該出口開口部（２ｂ）の後方に接して配置する粘着シートスペース（６）と、該粘着シートスペース（６）内を被う粘着シート（７）と、前記正面底板部（２ｃ）と蝶番（１０）によって連結される持ち上げ傾斜板（４）と、前記入り口開口部（２ａ）の左右に付くガイドレール（８）を介して自重で下がる落とし扉（３）と、該落とし扉（３）を上部で受け止めた状態と、前記持ち上げ傾斜板（４）を持ち上げた状態を保持し両方を連動させる連動金具（５）から成るもので、
ネズミは餌につられて箱形本体（２）内に入り持ち上げ傾斜板（４）に乗ると、その重さにより下がり連動金具（５）によって頂部で受け止めていた落とし扉（３）が外れ、落下して入り口が閉じることで脱出口部（２ｂ）から強制的に粘着シート（７）内に取り込みその粘着力で捕獲するものとしたネズミ捕り具。
【請求項２】
前記箱形本体（２）の天上部と、前記粘着シートスペース（６）の上部を金網（１１）で被い閉じた空間とし、捕獲したネズミは粘着シートスペース（６）の金網（１１）を外して粘着シート（７）と共に取り出すものとした請求項１のネズミ捕り具。
【発明の詳細な説明】
【技術分野】
【０００１】本発明はネズミ捕り具に関する。（ネズミ以外の小動物にも利用可）
【背景技術】
【０００２】従来ネズミ捕り具にはシーソー式ネズミ捕り器なるものが知られている。（特許文献１）これはネズミが容器内に入ると傾き入り口が閉じて生け捕り捕獲するものだが、しかしながら、容器内のネズミの処理処分をする手段が明示されていない欠点があった。【０００３】従来ネズミ捕り具には粘着式ネズミ捕獲器なるものが知られている。（特許文献２）これは台部に粘着部を装着して捕獲するものだが、しかしながら、粘着部の端に掛った場合逃げられる点と端に掛ったネズミを包むことが面倒である欠点があった。
【先行技術文献】
【特許文献】
【０００４】
【特許文献１】特許公開２００９−８２１１８
【特許文献２】特許公開２０１３−２２００３４
【発明の概要】
【発明が解決しようとする課題】
【０００５】本発明は以上のような従来の欠点に鑑み、生け捕りに捕獲したネズミを粘着シートで確実にネズミを捕獲でき、簡単に処理処分されるネズミ捕り具を提供することを目的としている。
【課題を解決するための手段】
【０００６】上記目的を達成するために本発明は、正面壁と後方壁と左右側壁と正面底板部２ｃから構成される箱形本体２と、該箱形本体２の正面壁に設ける入り口開口部２ａと、後方壁に設ける出口開口部２と、該出口開口部２ｂの後方に接して配置する粘着シートスペース６と、該粘着シートスペース６内を被う粘着シート７と、前記正面底板部２ｃと蝶番１０によって連結される持ち上げ傾斜板４と、前記入り口開口部２ａの左右側壁に付くガイドレール８を介して自重で下がる落とし扉３と、該落とし扉３を上部で受け止めた状態と、前記持ち上げ傾斜板４を持ち上げた状態を保持し両方を連動させる連動金具５から成るもので、ネズミは餌につられて箱形本体２内に入り持ち上げ傾斜板４に乗ると、その重さにより下がり連動金具５によって頂部で受け止めていた落とし扉３が外れ、落下して入り口が閉じることで脱出口部２ｂから強制的に粘着シート７内に取り込みその粘着力で捕獲するものとしたネズミ捕り具を構成している。【０００７】前記箱形本体２の天上部と、前記粘着シートスペース６の上部を金網１１で被い閉じた空間とし、捕獲したネズミは粘着シートスペース６の金網１１を外して粘着シート７と共に取り出すものとした前記（０００６）のネズミ捕り具を構成している。
【発明の効果】
【０００８】  以上の説明から明らかなように、本発明にあっては次に列挙する効果が得られる。【０００９】（１）請求項１の構成により、ネズミは餌につられて箱形本体２内に入り持ち上げ傾斜板４に乗ると、その重さにより下がり連動金具５によって頂部で受け止めていた落とし扉３が外れ、落下して入り口が閉じることで脱出口部２ｂから強制的に粘着シート７内に取り込みその粘着力で捕獲するもので、捕獲したら粘着シートスペース６を箱形本体２と分離し粘着シート７と共に取り出せるので生け捕りにしたネズミをスムーズに処理できる。【００１０】（２）請求項１の構成により、前記のように落とし扉３が下りて閉じられるとネズミはパニック状態となり脱出口部２ｂめがけて脱出するので、その後方にある粘着シート７の中央部で捕獲でき、その粘着シート７の余白で巻き付けられるのでネズミをスムーズに処理できる。【００１１】（３）請求項２も、前記（１）と（２）と同様な効果が得られるとともに、ネズミ以外の小動物の捕獲にも活用できる。
【図面の簡単な説明】
【００１２】
【図１】本発明を実施するための第１の形態のネズミ捕り具の正面図。
【図２】本発明を実施するための第１の形態のネズミ捕り具の背面図。
【図３】本発明を実施するための第１の形態のネズミ捕り具の平面図。
【図４】本発明を実施するための第１の形態のネズミ捕り具の底面図。
【図５】本発明を実施するための第１の形態のネズミ捕り具の側面図。
【図６】本発明を実施するための第１の形態のネズミ捕り具のＡ−Ａ断面図。
【図７】本発明を実施するための第１の形態のネズミ捕り具の分解図。
【図８】本発明を実施するための第２の形態の斜視図。
【発明を実施するための形態】
【００１３】以下、図面に示す発明を実施するための形態により本発明を詳細に説明する。
【００１４】１はネズミ捕り具で、箱形本体２で生け捕りし粘着シート７の中央部で身動きできない状態にして捕獲し粘着シート７と共に処分するものである。
２は箱形本体で、正面壁と後方壁と左右側壁と正面底板部２ｃから構成されるもので天上部を付けないので開放的となりネズミの警戒心を和らげるものとなる。その大きさは約２５ｃｍの立方体で材質としては木製、鋼製、金網、合成樹脂等がある。
２ａは入り口開口部で、輻はできるだけ大きくしその高さは１５ｃｍ程度、その高さ位置に落とし扉３の下部を止める。
２ｂは脱出口部で、幅はネズミが通れる大きさとしその位置は中央部とし粘着シート７の中央部にネズミが張り付くものとする。
２ｃは正面底板部で、持ち上げ傾斜板４を奥に設置するためと箱形本体２の変形防止機能を有す。
【００１５】３は落とし扉で、左右のガイドレール８の溝内を自重で落下し持ち上げ傾斜板４に接合された連動金具５の頂部で受け止めていた接触部が外れるもので持ち上げ傾斜板４にネズミが乗ると瞬時に閉じられる。
４は持ち上げ傾斜板で、正面底板部２ｃと蝶番１０によって連結されるもので先端部の左右いずれかに連動金具５と接合し持ち上げられた状態と落とし扉３を受け止める状態とのバランスにより上げ状態にしておくもので持ち上げ傾斜板４に餌を置くことでネズミは乗りその重さにより持ち上げ傾斜板４が下がり落とし扉３の接触部が外れるものとなる。
【００１６】５は連動金具で、箱形本体２の左右いずれかの側壁に装着する回転軸９を介して落とし扉３と持ち上げ傾斜板４とのバランスをとり連動させることで閉じる装置となる。
６は粘着シートスペースで、出口開口部２ｂの後方に配置し箱形本体２と接し床面と左右側壁と後方壁から構成され、三方壁の高さは約１０ｃｍ程度で可。ネズミが掛ったら箱形本体２と分離しネズミの処理をしやすくする。
７は粘着シートで、表面を粘着剤で塗られたシートでネズミが接すると動くことができない接着力とし裏面は付着しないもので、接着されたネズミは余白のシート部で被い確実に捕獲される。
８はガイドレールで、入り口開口部２ａの左右に付け落とし扉３が上下に動く。
９は回転軸で、箱形本体２の左右いずれかの側壁に付け連動金具５の荷重を受けると同時にその回転する軸となり、その位置は両荷重のバランスの取れた中間点とする。
１０は蝶番金具で、正面底板部２ｃと持ち上げ傾斜板とを連結する。
１１は金網で、箱形本体２と粘着シートスペース６の上部を被うもので捕獲する動物が出られない大きさの網目とする。
【産業上の利用可能性】
【００１７】  本発明はネズミ捕り具を製造する産業で利用される。
【符号の説明】
【００１８】１：ネズミ捕り具、  ２：箱形本体、  ２ａ：入り口開口部、  ２ｂ：脱出口部、  ２ｃ：正面底板部、  ３：落とし扉、  ３ａ：受け突起    ４：持ち上げ傾斜板、  ５：連動金具、  ６：粘着シートスペース、  ６ａ：取っ手    ７：粘着シート、  ８：ガイドレール、  ９：回転軸、  １０：蝶番金具、  １１：金網。
【図１】
2015216924.tif 000003
【図２】
2015216924.tif 000004
【図３】
2015216924.tif 000005
【図４】
2015216924.tif 000006
【図５】
2015216924.tif 000007
【図６】
2015216924.tif 000008
【図７】
2015216924.tif 000009
【図８】
2015216924.tif 000010